(57)【要約】【課題】酸素富化膜を用いた空気調和機において、酸素を生成する過程において生じた水分の処理に対し、その飛散防止のために水分離器を設けることでコストがかかる、また水分離器を設置するのにスペースを要したものである。【解決手段】特別な水処理装置を設けることなく、確実に水処理を行うことによって、空地調和機に用いる搬送用チューブの先端を室内機の傾斜した熱交換器上部に配することで、水が飛び出してもその下の熱交換器で受けて処理することを可能としたものである。したがって、余分なコストもかけず、最小限のスペースにて、水処理を可能としたシステムを構築できる。【選択図】  図２
2004150754.tif 000002
【特許請求の範囲】
【請求項１】
少なくとも酸素の分離を行う酸素分離手段を備えた空気調和機において、前記酸素分離手段から酸素と水が出てくる構成であって、前記水を空気調和機の水排出経路に吹き出すことを特徴とする空気調和機。
【請求項２】
少なくとも酸素の分離を行う酸素分離手段と、傾斜する熱交換器を備えた空気調和機において、前記酸素分離手段から酸素と水が出てくる構成であって、前記水を前記熱交換器に吹き出すことを特徴とする空気調和機。
【請求項３】
少なくとも酸素の分離を行う酸素分離手段と、水受け皿を備えた空気調和機において、前記酸素分離手段から酸素と水が出てくる構成であって、前記水を水受け皿に吹き出すことを特徴とする空気調和機。
【発明の詳細な説明】
【０００１】
【発明の属する技術分野】
本発明は内外に分離されたセパレートタイプの空気調和機において、室外に酸素を生成する為の酸素富化膜を備え、そこで酸素と同時に生成され、チューブによって室内に搬送される水分の処理に関するものである。
【０００２】
【従来の技術】
近年空気調和機においては、空気をきれいにする清浄機能や臭いを取る脱臭機能等が搭載したものがある。
【０００３】
このような背景の中、部屋の空気の組成比率を変え、酸素濃度を向上させる機能がある。これは室外機に設置された酸素濃度の高い空気を生成する装置である酸素富化膜に対し、常に新鮮な空気を供給し、ポンプにて圧力差を生じさせることで、酸素と窒素に分離し、結果、高濃度の酸素を得る。そして室外にて生成された空気は閉回路でチューブを通して、室内へ搬送され、開放されている室内側のチューブ先端より室内へ供給されることで室内側の酸素濃度が上がる結果となる。
【０００４】
また富化膜方式の場合、その膜を通過することで酸素濃度も上昇するが、併せて水分も透過しやすい特性を持っており、膜通過後は絶対水分量が約２倍となる。例えば外気温度３５℃で相対湿度５１％程度の場合、膜通過後の相対湿度は１００％となる。その為、エアコンの室外機内部より外に出るなどして、温度降下が見られた時点で結露が生じる。つまり、室内へ搬送されるチューブの中で非常に多くの確率で結露が生じると考えられ、結果として経路中に水分が溜まってしまう恐れがある。例えば、夏場においては室外機出口直後もしくは室内に入った時点、冬場は室外機から出た直後で結露が生じることが予測される。そして、その水分が酸素濃度の高い空気と共に室内に搬送されチューブ吹出先端より噴出する。しかし噴出するとあちこちに飛散し、電装品に水がかかる恐れがあったり、水の処理が出来ないところに飛散し、エアコン本体から水漏れをおこす恐れがあった。これらの課題に対し、事前に水分離器で水と空気を分離し、水受け皿に落とすことで水の飛散を防止していた。
【０００５】
【特許文献１】
特開平５−１１３２２７号公報
【０００６】
【発明が解決しようとする課題】
しかしながら、上記従来の技術では、酸素を生成する過程において生じた水分の処理に対しその飛散防止のために水分離器を設ける必要があり、また水分離器を設置するのにスペースを要する等の課題があった。
【０００７】
本発明はこのような課題を解決するものであり、特別な水処理装置を設けることなく、確実に水処理を行うことを可能としたシステムを提供することを目的とする。
【０００８】
【課題を解決するための手段】
上記課題を解決するために本発明の空気調和機に少なくとも酸素の分離を行う酸素分離手段を備えた空気調和機において、前記酸素分離手段から酸素と水が出てくる構成であって、前記水を空気調和機の水排出経路に吹き出すことにより、水分分離器が不要となる。
【０００９】
また、少なくとも酸素の分離を行う酸素分離手段と、傾斜する熱交換器を備えた空気調和機において、前記酸素分離手段から酸素と水が出てくる構成であって、前記水を前記熱交換器に吹き出すことにより、熱交換器で受けて水処理することを可能としたものである。
【００１０】
少なくとも酸素の分離を行う酸素分離手段と、水受け皿を備えた空気調和機において、前記酸素分離手段から酸素と水が出てくる構成であって、前記水を水受け皿に吹き出すことにより、水処理を容易にしたものである。
【００１１】
【発明の実施の形態】
以下本発明の実施の形態について図面を参照して説明する。
【００１２】
（実施の形態１）
図１は本実施の形態に係る空気調和機の概略図を示したものである。同図において、１は空気調和機の室外機であり、この内部に酸素富化膜２が配置されている。この酸素富化膜２に対し、室外機１に配置された送風ファン３もしくはこの富化膜２用に配置された送風装置等により、常に新鮮な空気をこの装置に対して供給する。そして室外機内部に配置されたポンプ４により富化膜２前後に圧力差をつけることで酸素の濃度の高い空気を生成する。ポンプ４の運転により膜入口の空気は窒素濃度の高い状態となるがそれを送風ファン３にて新鮮な空気を供給することで、常に高濃度の酸素を得ることが可能となる。その高濃度の酸素がチューブ５を介してポンプ４にて室内機６に搬送される。
【００１３】
図２は本実施の形態に係る空気調和機の斜視図を示したものである。同図において、２１は空気調和機の室内機であり、２２は室内の熱交換器であり、傾斜面を含んだ形状で構成されている。２３は室外から高濃度の酸素が搬送される為のチューブであり、傾斜した熱交換器２２上部にチューブ先端を配置している。
【００１４】
このようにチューブ先端を傾斜した熱交換器上部に配置することで、余分なコストもかけず、最小限のスペースにて、水が飛び出し飛散した場合でもその下の熱交換器２２で受け、その後の水処理を可能としたシステムを構築できる。
【００１５】
（実施の形態２）
図３は本実施の形態に係る空気調和機の斜視図を示したものである。同図において、３１は空気調和機の室内機であり、３２は室内の熱交換器であり、３３は室外から高濃度の酸素が搬送される為のチューブである。そしてチューブ３３先端が水受け皿３４の投影面上、上部に配置されている。
【００１６】
このようにチューブ先端を水受け皿上部に配置することで、余分なコストもかけず、最小限のスペースにて、水が飛び出し飛散した場合でもその下の水受け皿で受け、その後の水処理を可能としたシステムを構築できる。
【００１７】
（実施の形態３）
図４は本実施の形態に係る空気調和機の斜視図を示したものである。同図において、４１は空気調和機の室内機であり、４２は室内の熱交換器であり、４３は室外から高濃度の酸素が搬送される為のチューブである。そしてチューブ４３先端が熱交換器４２の方に向かって配置されている。
【００１８】
このようにチューブ先端を熱交換器に向かって配置することで、余分なコストもかけず、最小限のスペースにて、噴出した水を熱交換器にぶつけることで水が飛散を防止し、その後の水処理を可能としたシステムを構築できる。
【００１９】
【発明の効果】
上記から明らかなように、本発明は、酸素富化システムを有する空気調和機において、噴出される水の処理を簡素化するもので、この構成によれば、余分なコストをかけず、また最小限のスペースにて確実に水処理がおこなえるという効果を奏する。
【図面の簡単な説明】
【図１】本発明の第１の実施形態を示す空気調和機の概略図
【図２】同一実施形態の室内機の側面図
【図３】本発明の第２の実施形態を示す室内機の側面図
【図４】本発明の第３の実施形態を示す室内機の側面図
【符号の説明】
１  室外機
２  酸素富化膜
３  送風ファン
４  ポンプ
５  チューブ
６  室内機
２１  室内機
２２  熱交換器
２３  チューブ
３１  室内機
３２  熱交換器
３３  チューブ
３４  水受け皿
４１  室内機
４２  熱交換器
４３  チューブ
【図１】
2004150754.tif 000003
【図２】
2004150754.tif 000004
【図３】
2004150754.tif 000005
【図４】
2004150754.tif 000006